(57)【要約】【課題】テーブルを車椅子の肘掛にバンドで取り付けるのではなく、両手で持ったまま縦横に回転するだけで取り付けるもので、ロック操作などその他の操作が全く必要なく、またあらかじめ車椅子に加工を施すことは一切ない車椅子用テーブルを提供する。また非使用時には車椅子の座席の後ろにぶら下げて携帯し移動できる。【解決手段】肘掛の下からあてがう当りと肘掛の上に載る当りでテーブルを車椅子の前方に突き出した状態で肘掛に固定し、肘掛に固定するとテーブルが下方向と左右の方向が動かなくなる車椅子用テーブルで、使用しないときは背もたれシートに引っ掛けて携帯できるように、取手やブレーキを通り抜ける切り欠きを設ける。【選択図】  図１
0003126169.tif 000002
【実用新案登録請求の範囲】
【請求項１】
端部側に車椅子の肘掛の下からあてがう当りが取り付きテーブル側には肘掛の上に載る当りが取り付く取り付け部分がテーブルの左右の両側面に取り付く車椅子用テーブルで、車椅子の前方にテーブルを突き出した状態で肘掛に固定し、当りを含めたテーブルの幅の寸法は左右の肘掛の内内寸法より広く、肘掛に固定するとテーブルが下方向と左右の方向が動かなくなることを特徴とする車椅子用テーブル
【請求項２】
車椅子背面から突き出た取手やブレーキを通り抜ける切り欠きを設けた車椅子用テーブルで、背もたれシートに引っ掛けてつりさげることができる請求項１の車椅子用テーブル
【考案の詳細な説明】
【技術分野】
【０００１】
本考案は車椅子用テーブルに関する。
【背景技術】
【０００２】
車椅子に取り外し可能なテーブルを取り付ける場合、バンドで固定するものと（例えば特許文献１、特許文献２参照）、車椅子に固定するために金具を取り付けたり穴を開けたりする加工を車椅子に施すものとがある（例えば特許文献３、特許文献４、特許文献５、特許文献６、特許文献７参照）。本考案は車椅子の肘掛にテーブルを固定するとき、バンドを巻きつける作業ではなく単に嵌め込むだけの操作でよいもので、また車椅子に一切の加工を施すものではない。本考案に類似するものとして、椅子の背面に台を取り付けるもの（例えば特許文献８参照）があるが、車椅子の背面には取手やブレーキのように突き出し物があり、単純に引っ掛ける訳にはいかない。また肘掛にテーブルを差し込むレールを取り付けるもの（例えば特許文献９参照）があるが、肘掛に取り付ける方法としては複雑な仕組みを採用している。また肘掛にテーブルを取り付ける方法としてテーブルの幅が自由に変化し両側の肘掛を側面から上下に挟み込むもの（例えば特許文献１０参照）もある。
【０００３】
【特許文献１】特願平１１−１７８８５３
【特許文献２】特願２００２−３５３１０３
【特許文献３】特願２００２−２９１６９６
【特許文献４】特願２００３−１２６１６４
【特許文献５】特願２０００−１０２８４５
【特許文献６】特願平１１−１９６８１２
【特許文献７】特願平１０−１７４９００
【特許文献８】特願平１１−２１５６９３
【特許文献９】特願２００５−２０３８
【特許文献１０】実案２００６−００１７５６
【考案の開示】
【考案が解決しようとする課題】
【０００４】
車椅子の肘掛にテーブルを取り付ける方法として、テーブルを上下に挟む横にＵ形の断面を持つレールを車椅子の肘掛側面に取り付けるもの（例えば特許文献９参照）や肘掛を上下に挟む横にＵ形の断面を持つレールをテーブル側面に取り付けるもの（例えば特許文献１０参照）があるが、車椅子の肘掛の前には肘掛を支持する支柱が立っておりテーブルを前から差し込むために、テーブルの幅を支柱の内内寸法より狭くしたり、テーブルの幅を変化させたりするものであった。
【０００５】
肘掛を上下に挟む横にＵ形の断面を持つレールをテーブルの両側に取り付けると支柱の内内寸法より広くなってはまらない問題を解決するために、レールの端部を残してその中間を取り除き、更に肘掛にレールを差し込んだ状態で何の役目を果たさない部分すなわち奥の部分では横にＵ形の断面の上半分と、前の部分では横にＵ形の断面の下半分を取り除く。このようにＵ形の断面を持つレールの不要な部分を取り除くと、支柱の内内寸法より幅の広いテーブルがテーブル全体を上下左右に回転させることにより、車椅子の肘掛に固定できるようになる。
【０００６】
また使用しないときは何時でも使用できるように、椅子の背面に取り付ける。車椅子の背面には取手やブレーキのように突き出し物があり、これを通り抜ける切り欠きをテーブルに設けることで背もたれシートに引っ掛けることができる。
【課題を解決するための手段】
【０００７】
使用時の取り付け手段は、端部側に車椅子の肘掛の下からあてがう当りが取り付きテーブル側には肘掛の上に載る当りが取り付く取り付け部分をテーブルの左右の両側面に取り付け、車椅子の前方にテーブルを突き出した状態で片持ち梁の支持状態で肘掛に固定する。当りを含めたテーブルの幅の寸法は左右の肘掛の内内寸法より広くても両側の肘掛を挟みこみ嵌め込むことができる。両側の肘掛に固定すると当りの部分に遊びがないのでテーブルが下方向と左右の方向に動かなくなる。
【０００８】
非使用時の取り付け手段は車椅子背面から突き出た取手やブレーキを通り抜ける切り欠きをテーブルに設けて背もたれシートに引っ掛ける。
【考案の効果】
【０００９】
車椅子の肘掛にテーブルをバンドで取り付ける作業は肘掛の前方に突き出たテーブルの前半分の部分を落ちないように片手で支えながらする作業で、１人でするには困難な作業であった。本考案の車椅子用テーブルは両手で持ったままテーブル全体を縦横に回転するだけでテーブルが車椅子の肘掛に取り付くもので、レバー操作やロック操作などその他の操作が全く必要なく、テーブル自体もなんら変形するものではない。またあらかじめ車椅子に加工を施すことは一切ない。
【００１０】
本考案の車椅子用テーブルは単なる平板でどこに置いて邪魔になることはなく非使用時には車椅子の座席の後ろにぶら下げて携帯し移動できる。
【考案を実施するための最良の形態】
【００１１】
図１は本考案の車椅子用テーブルを車椅子肘掛に取り付けた状態図で、片持ち梁状態で肘掛に固定され、テーブル上に荷重がかかってもテーブルの水平が保たれる使用時の状態図である。構成する部品を紹介し、各寸法について説明する。実線は本考案の車椅子用テーブルを図示し、点線は車椅子の部分を図示する。図１（ａ）に示すように本考案の車椅子用テーブルは買い物籠を載せたり食器を載せたりするプレート部１，２と、それを支持する支持部３からなり、プレート部は金網部分のプレート部１とそれを外周で支持する骨組２からなる。骨組２はコ型に曲げられた１本のパイプである。
【００１２】
プレート部１は金網の代わりにパンチングメタルのように軽量のプレートを用い、図１（ｅ）の断面図に示すようにその外周をカーリング曲げ加工を施したり、図１（ｆ）の断面図に示すように平面と直角方向に折り曲げ、平面と直角方向に断面性能を持たせるようにすると、プレート部を支持する骨組２の役割を果たすことになり、骨組２を省略して直接支持部３に取り付けることで支持部３と一体にして本考案の車椅子用テーブルとすることが出来る。
【００１３】
図１（ｂ）に示すようにプレート部の金網は載せた買い物籠や食器が零れ落ちないように外周の骨組み２の下面に貼り付ける。買い物籠の底面には突起があって金網の升目に嵌まり込むが、同一升目内で平行する２つの線材の高さが異なるクリンプ金網を使用すると突起がなくても滑ることはない。
【００１４】
プレート部の車椅子側端部は肘掛８の上にのる必要があり、プレート部の幅方向の寸法Ｗは、肘掛を支持する車椅子の部材９の幅と合わせる。支持部の骨組２はＵ型に曲げ加工した１本のパイプで、骨組２と同一平面上にあってハの部分で溶接接合される。骨組３の端部には図１のイーイ矢視の図１（ｃ）のに示すようなＬ型断面を持つ金具４が取り付き、図１（ｂ）の側面図に示す骨組２，３の重なり部分二に、図１のローロ矢視の図１（ｄ）に示すＴ型断面図の金具５が取り付く。
【００１５】
金具４は肘掛を支持する車椅子の部材９の下面に当たって本考案の車椅子用テーブルが端部イの部分で下から上に浮き上がらないよう当たりの部分６が設けられ、金具５には車椅子用テーブルが水平方向に動かないように当たりの部分７が設けられる。また金具５は骨組み２と支持部３を一体にし、支持部３はプレート部１の延長部分となる。当たり６および当たり７の外々寸法Ｘは肘掛幅内々寸法以内にする。
【００１６】
図２は本考案の車椅子用テーブルを背もたれシート１４の後ろに吊り下げた状態図で、非使用時の状態図である。テーブルに物を載せないときは車椅子の背後に吊り下げて取り付けることが出来るので、携帯して移動することが出来る。図２（ａ）は車椅子用テーブルを鉛直に立てて、取手の間を通り抜ける状態を示す背面図で、図２（ｂ）は車椅子用テーブルを背もたれシートに当たるまで送りこんだ後、下に降ろして金具４が背もたれシートに引っかかった状態を示す側面図で、図２（ｃ）は金具４が背もたれシートの上に乗った状態を示す平面図である。図２（ａ）に示すように車椅子テーブルを立てたまま送り込んで背もたれシートに当てるため、取手がブレーキに当たらないように図示の木の部分に切り欠き部分を設けて、骨組２の取手に当たる部分の間隔Ｙを狭くする。切り欠き部分の領域が大きくなると領域ヘは小さくなり、搭乗者の腹部を圧迫することになるので切り欠き部分の領域は必要以上に大きくしない。
【００１７】
図３は本考案の車椅子用テーブルの取り付け要領図で、図３(ａ)は使用時に車椅子肘掛部分に取り付ける要領を説明し、図３（ｂ）は非使用時に車椅子背面に取り付ける要領を説明する。図３(ａ)に示すように車椅子肘掛部分に取り付ける場合先ず車椅子用テーブルの前部を浮かせて金具５の当り７が肘掛８の上面に当たらないようにして、片方の肘掛を支持する部材９の下に金具４の当り６をもぐりこませる。次に当り６と部材９との接点を中心にｒ１方向に全体を回転させて、他方の肘掛を支持する部材９の下に当り６をもぐりこませて、左右の金具４の当り６を部材９の下にもぐりこませる。更に車椅子用テーブルの前部を沈め金具５の当り７が両側の肘掛８の内々に納まるようにする。このようにして車いす用のテーブルは左右の肘掛に片持梁状態で固定される。すなわち金具４の当り６によって端部の浮き上がりが止められ金具５によって中間が沈まないので、車椅子用テーブルと車椅子の肘掛の取り付け部における回転が阻止される。
【００１８】
点線は車椅子の各部材を示す。非使用時に背もたれシート１４に車椅子用テーブルを吊り下げる場合、図３(ｂ)に示すように鉛直にした車椅子用テーブルを背もたれシートに対して平行ではなく少し斜めにして、車椅子用テーブルの片側の骨組２と３の溶接部分ハを片側の取手支柱１０にあてがう。図２(ａ)に示すように溶接部分ハの部分は、木の領域の切り欠き部分の最も奥深いところであり、車椅子用テーブルを最も片側に寄せることが出来るところである。このように片方をあてがいながらｒ２方向に全体を回転させると、他方の切り欠き部分は取手とブレーキをかわして通過し、左右の金具４が車椅子のシートの上にくる。この状態で下に降ろすと背もたれシート１４に車椅子用テーブルを吊り下げることができる。
【図面の簡単な説明】
【００１９】
【図１】車椅子肘掛に取り付けた状態図
【図２】車椅子背もたれに取り付けた状態図
【図３】取り付け要領説明図
【符号の説明】
【００２０】
１    プレート部
２    プレート部１の外周を支持する骨組
３    支持部
４    Ｌ型断面を持つ金具
５    Ｔ型断面図の金具
６    金具４の当たり
７    金具５の当たり
８    車椅子の肘掛
９    車椅子の肘掛を支持する部材
１０  車椅子の取手の支柱
１１  車椅子の取手
１２  車椅子のブレーキ取付金具
１３  車椅子のブレーキ
１４  車椅子の背もたれシート
【図１】
0003126169.tif 000003
【図２】
0003126169.tif 000004
【図３】
0003126169.tif 000005